(57)【要約】【課題】  長期間の使用であっても調整ツマミの調整位置を正しく表示することのできる電気掃除機を提供する。【解決手段】  塵埃を吸引するための電動送風機と、この電動送風機の動作の強さを調整する調整ツマミ３０と、この調整ツマミ３０による調整位置に応じて前記電動送風機を制御する制御手段と、調整ツマミ３０の調整位置に応じた前記動作の強さを表示する発光ダイオード４１Ａ〜４１Ｄとを備えた電気掃除機であって、調整ツマミ３０にアーム３２を介して遮光板３３を設け、この遮光板３３を検知して調整ツマミ３０の調整位置を検知するフォトセンサ５２Ａ〜５２Ｄを設け、この遮光板３３を検知したフォトセンサ５２Ａ〜５２Ｄに対応した発光ダイオード４１Ａ〜４１Ｄを発光させることにより、調整ツマミ３０の調整位置に応じた電動送風機の動作の強さを表示させる。【選択図】  図２
2005349019.tif 000002
【特許請求の範囲】
【請求項１】
塵埃を吸引するための電動送風機と、この電動送風機の動作の強さを調整する調整ツマミと、この調整ツマミによる調整位置に応じて前記電動送風機を制御する制御手段と、前記調整ツマミの調整位置に応じた前記動作の強さを表示する表示部とを備えた電気掃除機であって、
前記調整ツマミの調整位置を検知する非接触式の検知手段を設け、
この検知手段が検知する調整位置に応じた電動送風機の動作の強さを前記表示部が表示することを特徴とする電気掃除機。
【発明の詳細な説明】
【技術分野】
【０００１】
この発明は、電動送風機の動作の強さを表示する表示部を備えた電気掃除機に関する。
【背景技術】
【０００２】
従来から、電動送風機の動作の強さを調整する調整ツマミの調整位置に応じて、その動作の強さを表示する表示部を備えた電気掃除機が知られている（特許文献１参照）。
【０００３】
かかる電気掃除機は、図７に示すように、図示しない掃除機本体に後端を接続したホース１の先端部に手元操作管２を設け、この手元操作管２に操作部３を設け、この操作部３に表示部４を設けている。
【０００４】
操作部３には、矢印方向に調整移動する調整ツマミ５が設けられており、この調整ツマミ５を移動させると、図８に示す摺動子６が可変抵抗器７に沿って摺動移動し、この摺動子６の摺動移動によって抵抗値が変化する。そして、可変抵抗器７の抵抗値に応じた強さで、掃除機本体に設けた電動送風機（図示せず）が動作するようになっている。
【０００５】
また、摺動子６にはラック片８が一体的に設けられており、ラック片８が摺動子６とともに矢印方向へ移動する。ラック片８に設けたラック９には円形の表示板１０の外周囲に形成したギア１１が噛合され、ラック片８の移動とともに表示板１０が回転される。
【０００６】
表示板１０の上面には、「強」「標準」「中」「弱」「切」の文字が記されており、表示板１０の回転位置、すなわち調整ツマミ５の調整位置に応じて表示部４の表示窓４ａから「強」「標準」「中」「弱」「切」の文字が表示されるようになっている。
【特許文献１】実公平３−３５２５９号公報
【発明の開示】
【発明が解決しようとする課題】
【０００７】
しかしながら、このような電気掃除機にあっては、ラック片８のラック９と表示板１０のギア１１とが噛合されていることにより、ラック片８の移動によって表示板１０が回転して表示窓４ａの表示を切り換えるようにしたものであるから、長期間の使用によりラック片８のラック９と表示板１０のギア１１とが磨耗してくる。このため、表示部４の表示窓４ａには、調整ツマミ５の調整位置に対応した「強」「標準」「中」「弱」「切」の文字が正しく表示されなくなってしまう虞がある。
【０００８】
この発明の目的は、長期間の使用であっても調整ツマミの調整位置を正しく表示することのできる電気掃除機を提供することにある。
【課題を解決するための手段】
【０００９】
請求項１の発明は、塵埃を吸引するための電動送風機と、この電動送風機の動作の強さを調整する調整ツマミと、この調整ツマミによる調整位置に応じて前記電動送風機を制御する制御手段と、前記調整ツマミの調整位置に応じた前記動作の強さを表示する表示部とを備えた電気掃除機であって、
前記調整ツマミの調整位置を検知する非接触式の検知手段を設け、
この検知手段が検知する調整位置に応じた電動送風機の動作の強さを前記表示部が表示することを特徴とする。
【発明の効果】
【００１０】
この発明によれば、検知手段が非接触式であることにより、検知手段が磨耗してしまうことがなく、このため長期間の使用であっても調整ツマミの調整位置を正しく表示することができる。
【発明を実施するための最良の形態】
【００１１】
以下、この発明に係る電気掃除機の実施例を図面に基づいて説明する。
【実施例】
【００１２】
図１に示す電気掃除機２０は、掃除機本体２１と、この掃除機本体２１の接続口２２に一端が着脱自在に接続された集塵ホース２３と、この集塵ホース２３の他端に設けられた手元操作管２４に着脱自在に接続された延長管２５と、この延長管２５の先端部に着脱自在に接続された吸込口体２６とを備えている。手元操作管２４には、電源スイッチＳＷ１が設けられている。
【００１３】
掃除機本体２１内には、集塵室２７と、この集塵室２７を負圧にする電動送風機２８等とが設けられている。また、集塵室２７には集塵フィルタ２９が着脱自在に装着されている。
【００１４】
掃除機本体２１の後部の上面２１Ａには、掃除機本体２１の幅方向（前後方向と直交する方向）にスライド移動可能であるとともに電動送風機２８の動作の強さを調整する調整ツマミ３０と、この調整ツマミ３０によって調整された電動送風機２８の動作の強さを表示する４つの発光ダイオード（表示部）４１Ａ,４１Ｂ,４１Ｃ,４１Ｄとが設けられている。
【００１５】
上面２１Ａには、調整ツマミ３０の移動方向に沿って「強」「中」「弱」「切」（図示せず）の文字が記されている。また、その上面２１Ａの下側には表示装置５０が設けられている。
【００１６】
発光ダイオード４１Ａは赤色に発光して「強」の強さを表示し、発光ダイオード４１Ｂはオレンジ色に発光して「中」の強さを表示し、発光ダイオード４１Ｃは黄色に発光して「弱」の強さを表示し、発光ダイオード４１Ｄは緑色に発光して電動送風機２８がオフされている「切」の状態を表示するようになっている。
【００１７】
調整ツマミ３０は、図２に示す可変抵抗器３１の摺動子であり、調整ツマミ３０を矢印方向に移動させることにより、その調整ツマミ３０の移動位置（調整位置）に応じて可変抵抗器３１の抵抗値が変わる。この抵抗値によって電動送風機２８の動作の強さが調整されるようになっている。
【００１８】
可変抵抗器３１の抵抗値は、調整ツマミ３０の移動位置である「強」「中」「弱」「切」の順で大きくなっている。
【００１９】
また、調整ツマミ３０にはアーム３２が設けられており、このアーム３２の先端には遮光板３３が設けられている。
【００２０】
表示装置５０は、４つの発光ダイオード４１Ａ,４１Ｂ,４１Ｃ,４１Ｄと、この発光ダイオード４１Ａ,４１Ｂ,４１Ｃ,４１Ｄを取り付けた回路基板５１と、発光ダイオード４１Ａ,４１Ｂ,４１Ｃ,４１Ｄに対応してこの回路基板５１に設けられた４つのフォトセンサ（検知手段）５２Ａ,５２Ｂ,５２Ｃ,５２Ｄと、このフォトセンサ５２Ａ,５２Ｂ,５２Ｃ,５２Ｄによって発光ダイオード４１Ａ,４１Ｂ,４１Ｃ,４１Ｄを点灯させる４つの点灯回路６０Ａ〜６０Ｄ（図４参照）等とを有している。この点灯回路６０Ａ〜６０Ｄは回路基板５１に設けられている。
【００２１】
フォトセンサ５２Ａ,５２Ｂ,５２Ｃ,５２Ｄは、発光ダイオード５２Ａｄ,５２Ｂｄ,５２Ｃｄ,５２Ｄｄと、この発光ダイオード５２Ａｄ,５２Ｂｄ,５２Ｃｄ,５２Ｄｄの光を受光するフォトトランジスタ５２Ａｔ,５２Ｂｔ,５２Ｃｔ,５２Ｄｔとを備えている。
【００２２】
そして、調整ツマミ３０が所定の調整位置に移動すると、図３に示すように、遮光板３３がフォトセンサ５２Ａの発光ダイオード５２Ａｄとフォトトランジスタ５２Ａｔとの間に入って発光ダイオード５２Ａｄの光を遮光するようになっている。この遮光は、遮光板３３が発光ダイオード５２Ａｄやフォトトランジスタ５２Ａｔに接触することなく行われる。すなわち、フォトセンサ５２Ａは遮光板３３を非接触状態で検知することになる。
【００２３】
そして、遮光板３３により発光ダイオード５２Ａｄの光が遮光されると、発光ダイオード４１Ａが発光するようになっている。同様に、調整ツマミ３０を「中」「弱」「切」の位置へ移動させると、遮光板３３がフォトセンサ５２Ｂ〜５２Ｄの発光ダイオード５２Ｂｄ,５２Ｃｄ,５２Ｄｄの光を非接触状態で遮光し、フォトセンサ５２Ｂ〜５２Ｄは遮光板３３を非接触状態で検知することになる。
【００２４】
そして、遮光板３３を検知したフォトセンサ５２Ｂ〜５２Ｄに対応した発光ダイオード４１Ｂ〜４１Ｄが発光する。
【００２５】
点灯回路６０Ａは、図４に示すように、発光ダイオード４１Ａに直列接続されたトランジスタ６１Ａを備えている。トランジスタ６１Ａのコレクタは発光ダイオード４１Ａのカソードに接続され、発光ダイオード４１Ａのアノードは抵抗Ｒ１を介して直流電圧Ｖｃｃに接続され、トランジスタ６１Ａのエミッタは接地されている。トランジスタ６１Ａのベースはフォトセンサ５２Ａのフォトトランジスタ５２Ａｔのコレクタに接続され、このコレクタは抵抗Ｒ２を介して５Ｖの電源に接続され、フォトトランジスタ５２Ａｔのエミッタは接地されている。
【００２６】
また、フォトセンサ５２Ａの発光ダイオード５２Ａｄのアノードは抵抗Ｒ３を介して５Ｖの電源に接続され、発光ダイオード５２Ａｄのカソードは接地されている。
【００２７】
そして、発光ダイオード５２Ａｄの光をフォトトランジスタ５２Ａｔが受光すると、フォトトランジスタ５２Ａｔがオンしてトランジスタ６１Ａのベースは接地され、トランジスタ６１Ａはオフとなる。
【００２８】
発光ダイオード５２Ａｄの光が遮光板３３により遮光されると、フォトトランジスタ５２Ａｔがオフし、トランジスタ６１Ａのベースに５Ｖの電圧が印加されてトランジスタ６１Ａがオンする。このトランジスタ６１Ａのオンにより発光ダイオード４１Ａに電流が流れて発光ダイオード４１Ａが発光する。
【００２９】
点灯回路６０Ｂ,６０Ｃ,６０Ｄも点灯回路６０Ａと同様なのでその構成の説明は省略する。
【００３０】
図５は電動送風機２８を制御する制御回路（制御手段）７０を示したものである。この制御回路７０は、電動送風機２８を位相制御するトライアック７１を備えている。このトライアック７１は、可変抵抗器３１の抵抗値に応じて位相制御するようになっており、可変抵抗器３１の抵抗値が小さいときトライアック７１の位相角が大きくなり、電動送風機２８は「強」で動作する。逆に、可変抵抗器３１の抵抗値が大きくなるとその位相角が小さくなり、電動送風機２８は「弱」で動作する。
【００３１】
また、さらに可変抵抗器３１の抵抗値が「弱」のときよりも大きくなると、すなわち、調整ツマミ３０を「切」に移動させるとトライアック７１は動作しなくなり、電動送風機２８は駆動されない。
［動  作］
次に、上記のように構成される電気掃除機２０の動作について説明する。
【００３２】
スイッチＳＷ１をオンし、調整ツマミ３０を調整して例えば「強」の位置に移動させると、遮光板３３は調整ツマミ３０とともに図２に示す位置へ移動する。この遮光板３３は非接触状態でフォトセンサ５２Ａの発光ダイオード５２Ａｄの光を遮光し、この遮光によりトランジスタ６１Ａがオンして発光ダイオード４１Ａが発光する。
【００３３】
この発光ダイオード４１Ａの発光により「強」に調整（設定）されたことが分かることになる。
【００３４】
なお、他のフォトセンサ５２Ｂ〜５２Ｄの発光ダイオード５２Ｂｄ〜５２Ｄｄの光は遮光されていないので、トランジスタ６１Ｂ〜６１Ｄはオフのままであり、発光ダイオード４１Ｂ〜４１Ｄは発光しない。
【００３５】
他方、調整ツマミ３０の調整により可変抵抗器３１の抵抗値が小さくなり、トライアック７１の位相角が大きくなる。このため、電動送風機２８は「強」で動作する。
【００３６】
同様に、調整ツマミ３０を調整して「中」「弱」「切」の位置にそれぞれ移動させると、遮光板３３は非接触状態でフォトセンサ５２Ｂ〜５２Ｄの発光ダイオード５２Ｂｄ〜５２Ｄｄの光を遮光し、この遮光によりトランジスタ６１Ｂ〜６１Ｄがオンして発光ダイオード４１Ｂ〜４１Ｄが発光する。
【００３７】
これら発光ダイオード４１Ｂ〜４１Ｄの発光により「中」「弱」「切」に調整（設定）されたことが分かることになる。
【００３８】
このように、遮光板３３は発光ダイオード５２Ａｄ〜５２Ｄｄの光を非接触状態で遮光するので、長期期間の使用により遮光板３３が磨耗してしまうことがない。このため、長期期間の使用であっても遮光板３３により発光ダイオード５２Ａｄ〜５２Ｄｄの光を確実に遮光することができ、調整ツマミ３０の調整位置を正しく表示することができる。
【００３９】
また、点灯回路６０Ａ〜６０ＤにＣＰＵ等を使用していないので、その点灯回路６０Ａ〜６０Ｄは安価なものとなる。
【００４０】
図６は他の実施例を示したものである。図６において、１３３はアーム３２（図２参照）の先端に設けた遮光板であり、この遮光板１３３は図示はしていないが調整ツマミ３０（図２参照）の移動方向に沿って長く延びているとともに、フォトセンサ５２Ａ〜５２Ｄの発光ダイオード５２Ａｄ〜５２Ｄｄとフォトトランジスタ５２Ａｔ〜５２Ｄｔとの間に非接触状態で配置されている。遮光板１３３には調整ツマミ３０の位置に対応してスリット１３４が形成されている。
【００４１】
そして、調整ツマミ３０を「強」「中」「弱」「切」の位置にそれぞれ移動させると、遮光板１３３のスリット１３４がフォトセンサ５２Ａ〜５２Ｄの発光ダイオード５２Ａｄ〜５２Ｄｄとフォトトランジスタ５２Ａｔ〜５２Ｄｔとの間に位置して、発光ダイオード５２Ａｄ〜５２Ｄｄの光をフォトトランジスタ５２Ａｔ〜５２Ｄｔが受光するようになっている。
【００４２】
例えば、調整ツマミ３０が「強」の位置に移動されると、遮光板１３３のスリット１３４がフォトセンサ５２Ａの発光ダイオード５２Ａｄとフォトトランジスタ５２Ａｔとの間に位置して、発光ダイオード５２Ａｄの光をフォトトランジスタ５２Ａｔが受光し、他の発光ダイオード５２Ｂｄ〜５２Ｄｄの光が遮光板１３３に遮光されるようになっている。
【００４３】
点灯回路１６０Ａは、フォトセンサ５２Ａと発光ダイオード４１Ａを有し、フォトセンサ５２Ａの発光ダイオード５２Ａｄのカソードが接地され、アノードは抵抗Ｒ４を介してＶｃｃ電源に接続されている。フォトセンサ５２Ａのフォトトランジスタ５２Ａｔのコレクタが発光ダイオード４１Ａのカソードに接続され、発光ダイオード４１Ａのアノードが抵抗Ｒ５を介してＶｃｃ電源に接続されている。また、フォトトランジスタ５２Ａｔのエミッタは接地されている。そして、フォトトランジスタ５２Ａｔが発光ダイオード５２Ａｄの光を受光すると、フォトトランジスタ５２Ａｔがオンして発光ダイオード４１Ａが発光するようになっている。
【００４４】
すなわち、調整ツマミ３０が「強」の位置に移動されて、遮光板１３３のスリット１３４がフォトセンサ５２Ａの発光ダイオード５２Ａｄとフォトトランジスタ５２Ａｔとの間に位置すると、発光ダイオード５２Ａｄの光をフォトトランジスタ５２Ａｔが受光し、発光ダイオード４１Ａが発光する。他の発光ダイオード４１Ｂ〜４１Ｄは点灯しない。
【００４５】
他の点灯回路１６０Ｂ〜１６０Ｄも上記と同様な構成なのでその説明は省略する。
【図面の簡単な説明】
【００４６】
【図１】この発明に係る電気掃除機の外観を示した斜視図である。
【図２】図１に示す電気掃除機の表示装置の構成を示した平面図である。
【図３】図２の表示装置の断面図である。
【図４】表示装置の点灯回路の構成を示した回路図である。
【図５】電動送風機を制御する制御回路の構成を示した回路図である。
【図６】他の実施例の点灯回路の構成を示した回路図である。
【図７】従来の電気掃除機の操作部を示した斜視図である。
【図８】表示部の構成を示した斜視図である。
【符号の説明】
【００４７】
２８              電動送風機
３０              調整ツマミ
３２              アーム
３３              遮光板
４１Ａ〜４１Ｄ    発光ダイオード
５２Ａ〜５２Ｄ    フォトセンサ
【図１】
2005349019.tif 000003
【図２】
2005349019.tif 000004
【図３】
2005349019.tif 000005
【図４】
2005349019.tif 000006
【図５】
2005349019.tif 000007
【図６】
2005349019.tif 000008
【図７】
2005349019.tif 000009
【図８】
2005349019.tif 000010